(57)【要約】【課題】  カバーで給排水管を隠蔽すると共に換気手段で換気することにより、キャビネット内部の清潔感を向上させつつ収納空間の有効活用が図れるキャビネットを提供する。【解決手段】  上面開口部にシンクやボウルが配置され内部後方側にシンクやボウルの排水口に接続された給排水管が配管されたキャビネット本体内に、給排水管の前面側を覆うカバーを配置すると共に、キャビネット本体の前面上部に配置されたファンと、該ファン近傍のキャビネット本体の前面上部に設けられた吸引口と、キャビネット本体の前面下部に設けられた排出口とを有しキャビネット本体内を換気する換気手段を設ける。【選択図】  図３
2005328857.tif 000002
【特許請求の範囲】
【請求項１】
上面開口部にシンクやボウルが配置され内部後方側に前記シンクやボウルの排水口等に連結された給排水管が配管されたキャビネット本体を有するキャビネットにおいて、
前記キャビネット本体内に、前記給排水管の前面側を覆うカバーを配置すると共に、キャビネット本体内を換気する換気手段を設けたことを特徴とするキャビネット。
【請求項２】
前記換気手段は、キャビネット本体の前面上部に配置されたファンと、該ファン近傍のキャビネット本体の前面上部に設けられた吸引口と、キャビネット本体の前面下部に設けられた排気口と、を有することを特徴とする請求項１に記載のキャビネット。
【請求項３】
前記換気手段による空気の通路内に除菌装置を有することを特徴とする請求項１または２に記載のキャビネット。
【請求項４】
前記カバーは、その前面形状が換気手段による空気の流れを促進できる形状に設定されていることを特徴とする請求項１ないし３のいずれかに記載のキャビネット。
【請求項５】
前記キャビネット本体内に上下複数段の引き出しが配設され、少なくとも最上部の引き出しは、底板上に網籠が載置されるかもしくは通気性を有する形状に形成されていることを特徴とする請求項１ないし４のいずれかに記載のキャビネット。
【請求項６】
前記網籠は、ふきん掛けやタオル掛けを兼ねる把手部を有することを特徴とする請求項５に記載のキャビネット。
【発明の詳細な説明】
【技術分野】
【０００１】
本発明は、キッチンや洗面化粧台において、上面開口部にシンクやボウルが配置されるキャビネットに関する。
【背景技術】
【０００２】
従来、キッチンのシンクキャビネットや洗面化粧台は、その内部後方側に、シンクやボウル底面の排水口に接続された排水管や、シンク等の後方上面の水栓に接続された給水管がむき出し状態で配置され、このシンクキャビネット等の内部の底板上には、キッチンで使用される洗剤等が収納されて使用されているのが一般的である。なお、この種のキャビネットとしては、例えば特許文献１に開示されている。
【特許文献１】特開２００３−２９９５３１号公報
【発明の開示】
【発明が解決しようとする課題】
【０００３】
しかしながら、このようなシンクキャビネットにおいては、その内部後方側に排水管や給水管等がむき出し状態で配置されているため、該キャビネット内の湿度が室内より高くなっている場合があると共に、給排水管が直接視認されるためあまり衛生的でないというイメージを受け易く、例えば鍋、ボール、ざる、フライパン、まな板等の調理器具や食品、タオル等の収納に抵抗感がある。その結果、比較的使い勝手が良く大きな収納空間が得られるにも係わらず、洗剤類等の収納に留まっているのが実情であり、シンクキャビネットや洗面化粧台のキャビネットの内部空間を有効活用することが難しいという問題点を有している。
【０００４】
本発明は、このような事情に鑑みてなされたもので、その目的は、カバーで給排水管を隠蔽すると共に換気手段で換気することにより、キャビネット内部の清潔感を向上させつつ収納空間の有効活用が図れるキャビネットを提供することにある。
【課題を解決するための手段】
【０００５】
かかる目的を達成すべく、本発明のうち請求項１に記載の発明は、上面開口部にシンクやボウルが配置され内部後方側に前記シンクやボウルの排水口等に接続された給排水管が配置されたキャビネット本体を有するキャビネットにおいて、前記キャビネット本体内に、前記給排水管の前面側を覆うカバーを配置すると共に、キャビネット本体内を換気する換気手段を設けたことを特徴とする。
【０００６】
そして、前記換気手段は、請求項２に記載の発明のように、キャビネット本体の前面上部に配置されたファンと、該ファン近傍のキャビネット本体の前面上部に設けられた吸引口と、キャビネット本体の前面下部に設けられた排出口と、を有することが好ましい。
【０００７】
また、請求項３に記載の発明のように、前記換気手段による空気の通路内に除菌装置を有することが好ましく、また、前記カバーは、請求項４に記載の発明のように、その前面形状が換気手段による空気の流れを促進できる形状に設定されていることが好ましい。
【０００８】
さらに、請求項５に記載の発明のように、前記キャビネット本体内に上下複数段の引き出しが配設され、最上部の引き出しは、底板上に網籠が載置されるかもしくは通気性を有する形状、例えばパンチング板等で形成されていることが好ましく、この場合、前記網籠は、請求項６に記載の発明のように、ふきん掛けやタオル掛けを兼ねる把手部を有することが好ましい。
【発明の効果】
【０００９】
本発明の請求項１に記載の発明によれば、キャビネット本体の内部後方側に配置される給排水管の前面側がカバーで覆われると共に、換気手段によりキャビネット本体内が換気されるため、カバーで給排水管を隠蔽できてキャビネット本体内に清潔感が得られると共に、換気手段で換気してじめじめ感を解消でき、シンクやボウル下方の空間を洗剤類等に限らず、調理器具や食品等の収納空間として有効活用することができる。
【００１０】
また、請求項２に記載の発明によれば、請求項１に記載の発明の効果に加え、キャビネット本体の前面上部にファンと吸引口が設けられ、キャビネット本体の前面下部に排出口が設けられるため、キッチン等の所定高さ位置から外気をキャビネット本体内に吸引し、これをキャビネット本体内の下方に流して下部からキッチンの床面上に排出できて、キャビネット本体内に空気が良好に流れて効率良く換気することができる。
【００１１】
また、請求項３に記載の発明によれば、請求項１または２に記載の発明の効果に加え、換気手段の例えばファンの送風口近傍等の通路内にイオン発生器等の除菌装置が配置されるため、キャビネット本体内に例えばマイナスイオンやプラスイオンを発生させることでキャビネット本体内を除菌したり、キッチンや洗面室の床面上に排出することで室内の風邪ウイルス等を殺菌できて、キャビネットの清潔面と衛生面での向上を図ることができる。
【００１２】
また、請求項４に記載の発明によれば、請求項１ないし３に記載の発明の効果に加え、カバーの前面形状が換気手段による空気の流れを促進できる形状に設定されているため、外部から吸引された空気をカバーに沿って例えばキャビネット本体の下方に効果的に流すことができて、キャビネット本体内の換気をより一層効率良く行うことができる。
【００１３】
さらに、請求項５に記載の発明によれば、請求項１ないし４に記載の発明の効果に加え、キャビネット本体内に配設された上下複数段の引き出しのうち少なくとも最上部の引き出しが、その底板上に網籠が載置されるかもしくは通気性を有する形状に形成されているため、網籠や引き出し上に各種調理器具等を収納できてシンクやボウル下方の収納空間を一層効率的に使用することができると共に、網籠や通気性を有する引き出しにより調理器具や食品等を衛生的に収納することができる。
【００１４】
また、請求項６に記載の発明によれば、請求項５に記載の発明の効果に加え、網籠にふきん掛けやタオル掛け兼用の把手部が設けられているため、収納状態のふきんやタオル等の湿気を除去できると共に、把手部により網籠をキャビネット本体内の引き出しに簡単に出し入れすることができる。
【発明を実施するための最良の形態】
【００１５】
以下、本発明の実施の形態を図面に基づいて詳細に説明する。
図１〜図７は、本発明に係わるキャビネットとしてのシンクキャビネットの一実施形態を示し、図１が該キャビネットを使用したシステムキッチンの正面図、図２がシンクキャビネットの正面図、図３がその縦断面図、図４が図３のＡ部の拡大図、図５が吸引口を示す図、図６が図３のＢ部の拡大図、図７が網籠を示す図である。
【００１６】
図１において、システムキッチン１は、上面にシンク７が配置されたシンクキャビネット２と、このシンクキャビネット２の右側に配置され食器乾燥機３ａが内蔵された乾燥機キャビネット３と、シンクキャビネット２の左側に配置され複数の引き出し４ａが設けられた調理台キャビネット４と、この調理台キャビネット４の左側に配置され上面にコンロ５ａが設けられたコンロキャビネット５等を有している。そして、これらの各キャビネット２〜５の上面には、例えば１枚物のカウンター６が配置されている。
【００１７】
前記シンクキャビネット２は、図２及び図３に示すように、背面板８ａと、前面上部に配置された前板８ｂ及び鏡板８ｃと、底板８ｄ及び高さ方向の後方所定高さ位置に設けられた中間底板８ｅと、図示しない左右の側板等からなるキャビネット本体８を有し、このキャビネット本体８の上面開口部８ｆには前記シンク７が配置され、前板８ｂ下方の開口部には上部引き出し９と下部引き出し１０が引き出し可能に配設されている。
【００１８】
また、キャビネット本体８内の後部には、シンク７の底面の排水口としての排水装置１１に接続された排水管、あるいはシンク７の後方上面の水栓１３（図１参照）に接続された図示しない給水管（以下、これらを給排水管１２という）が、例えば上下方向に指向して配置されている。そして、この給排水管１２は、その前方でキャビネット本体８内に配置されたカバー１４で覆われて隠蔽され、前方から視認されないようになっている。
【００１９】
この時、カバー１４は、樹脂のインジェクション成形により、例えば上下方向に三分割された上カバー１４ａ、中カバー１４ｂ及び下カバー１４ｃで形成され、中カバー１４ｂは、その上端が上カバー１４ａの下端の段差状の係止部１５ａに係止され、その下端が下カバー１４ｃの上端部分に設けられた凹溝状の係止部１５ｂに係止されることにより取り外し可能に配設されている。また、上カバー１４ａは、排水装置１１部分を覆うように曲面形状に形成されており、これにより、カバー１４の前面形状が、後述するように上カバー１４ａから中カバー１４ｂ及び下カバー１４ｃに沿った空気の流れが良好となるように設定されている。
【００２０】
また、キャビネット本体８の前板８ｂ下部とシンク７の前側底部との間に形成される空間内には換気手段を構成する換気装置１７が配置されている。この換気装置１７は、図２及び図４に示すように、ケース１７ａに取り付けられたクロスフローファン１７ｂ（以下、単にファン１７ｂという）及び左右のモータ１７ｃと、ケース１７ａに設けられた整流板１７ｄ等を有している。そして、換気装置１７は、ケース１７ａの長さが例えばキャビネット本体８の全幅より所定寸法短い寸法に設定されることにより、キャビネット本体８の前板８ｂ（鏡板８ｃ）下部にその左右幅方向の略全域に亘って配置されている。
【００２１】
この時、図４に示すように、換気装置１７のケース１７ａの前面側には、例えばアルミニウムの押出し成形品あるいは樹脂成形品で形成された吸引口カバー１８が一体的に取り付けられ、この吸引口カバー１８には、図５に示すように、横方向のスリット状の吸引口１８ａが多数設けられている。この吸引口１８ａは、前方であるキッチンから視認した際に、開口として明瞭に視認されない形状に設定されている。
【００２２】
なお、吸引口１８ａの形状は、図５（ａ）の二点鎖線で示すように横方向に長い楕円形状としたり、多数の円形のパンチング孔とする等、適宜の形状を採用することができるし、吸引口１８ａをケース１７ａに一体化した吸引口カバー１８に形成することなく、例えば鏡板８ｃや前板８ｂに直接形成する構成としても良い。また、換気装置１７のモータ１７ｃは、略一定の回転数を有するものが使用されるが、回転数が調整できるモータの使用も勿論可能であるし、ファン１７ｂの長さや送風容量によっては、モータ１７ｃを左右両側に配置することなく片方にのみ配置する構成としても良い。
【００２３】
また、換気装置１７の整流板１７ｄは、その向きや形状が図４に示すように、ファン１７ｂの回転による送風がシンク７の底面に沿って後方側に良好に流れるように設定されており、この整流板１７ｄとケース１７ａ等によって送風口１９が形成されている。そして、この送風口１９内には、除菌装置としてのイオン発生器２０が配置され、このイオン発生器２０で発生された例えばマイナスイオンが送風口１９からキャビネット本体８内に送られるようになっている。
【００２４】
なお、イオン発生器２０としては、高電圧印可によるマイナスイオン発生器や、サイクロン、ノズル噴射方式に代表されるレナード効果を利用したマイナスイオン発生器等で、できるだけ小型に形成されたものが使用されるが、マイナスイオン発生器に限らず、プラスイオン発生器や他の除菌装置等、除菌、殺菌、抗菌効果等が得られる適宜の装置を使用することができる。
【００２５】
そして、このイオン発生器２０と前記モータ１７ｃは、図２に示すように、キャビネット本体８の鏡板８ｃの例えば左端部に取り付けられた操作盤２１に電気的に接続されており、この操作盤２１の換気スイッチ２１ａをオン操作することによりモータ１７ｃが回転し、操作盤２１のイオン発生スイッチ２１ｂをオン操作することによりイオン発生器２０が作動するようになっている。なお、操作盤２１は、鏡板８ｃの左端部への配置に限らず、例えばカウンター６上面に配置しても良く、また操作盤２１のスイッチ形態も適宜のものを使用できる。
【００２６】
前記上部引き出し９は、図３に示すように、底板と、例えばパンチング板で形成された背板及び側板等で箱状に形成された箱部９ａと、この箱部９ａの前面側に固定され表面が鏡面仕上げされた扉９ｂ等で形成され、側板外面に設けたガイドを、キャビネット本体８の側板内面に設けた図示しないガイドレールに係合させることにより、キャビネット本体８に対して出し入れ可能に配設されている。
【００２７】
そして、この上部引き出し９内には網籠２２がセットされている。この網籠２２は、図７に示すように、金属棒を溶接すること等により、底部２２ａ、前部２２ｂ、後部２２ｃ、左右の側部２２ｄを有する格子状に形成されている。また、網籠２２の前部２２ｂ上端には、網籠２２の上部引き出し９内への出し入れ時に使用される把手部２２ｅが設けられ、この把手部２２ｅは、金属棒で上方に所定高さ突出形成されることにより、ふきん掛けやタオル掛けとしても使用できるようになっている。この網籠２２内に調理器具等が収納され、これらの清潔さが、後述するように換気装置１７による換気で良好に維持されることになる。なお、網籠２２の形状はこの例に限定されず、通気性を有する適宜形状のものを採用することができる。
【００２８】
また、前記下部引き出し１０は、図３に示すように、底板と、例えばパンチング板で形成された背板及び側板等で箱状に形成された箱部１０ａと、この箱部１０ａの前面上部に固定され表面が鏡面仕上げされた扉１０ｂと、箱部１０ａの前面下部に扉１０ｂより奥側に配置された蹴込み板１０ｃ等で形成されている。そして、前記上部引き出し９と同様に側板外面に設けたガイドを、キャビネット本体８の側板内面に設けた図示しないガイドレールに係合させることにより、キャビネット本体８に対して出し入れ可能に配設されている。
【００２９】
この時、下部引き出し１０の蹴込み板１０ｃは、図６に示すように、その下端部を切り欠くことで排出口２３が形成され、この排出口２３がキャビネット本体８の底板８ｄ上面に形成される外気の通路に連通状態とされている。なお、下部引き出し１０の蹴込み板１０ｃ下端は、キッチンの床面にキッチンマット２７を敷設できるように、床面から高さｈ＝１８ｍｍ程度浮いた状態に設定されている。また、下部引き出し１０の扉１０ｂと蹴込み板１０ｃは連結金具２４で連結され、さらに、下部引き出し１０と上部引き出し９は、引き出し操作した際に、図６に示すように所定の引き出し位置に停止されるようになっている。
【００３０】
次に、このように構成されたシンクキャビネット２の動作の一例を図３、図４及び図６等を参照して説明する。先ず、上部引き出し９を引き出して該上部引き出し９内にセットされている網籠２２の中に鍋、フライパン、ボール等の調理器具を収納して、上部引き出し９を後方側に押してキャビネット本体８内に格納する。
【００３１】
そして、この状態でキャビネット本体８の前面上部の操作盤２１の換気スイッチ２１ａをオンさせると、換気装置１７のモータ１７ｃが回転してファン１７ｂが図４の矢印イ方向に回転し、このモータ１７ｃの回転で、吸引口カバー１８の吸引口１８ａからキャビネット本体８外から空気がケース１７ａ内に矢印ロの如く吸引される。この吸引口１８ａから吸引された空気は、回転しているファン１７ｂ内を矢印ハの如く流れて送風口１９からキャビネット本体８内に送られる。
【００３２】
このキャビネット本体８内に送られた空気は、シンク７の底面外側に沿ってキャビネット本体８の後方側に流れ、図３に示すように、矢印ニの如く上カバー１４ａから中カバー１４ｂ及び下カバー１４ｃの前面に沿って下方に流れる。そして、下カバー１４ｃに沿って流れた空気は、矢印ホの如くキャビネット本体８の底板８ｄ内面（上面）に沿って前方側に流れ、底板８ｄの前端から排出口２３を介して、矢印ヘの如くキャビネット本体８外に排出される。
【００３３】
これにより、キャビネット本体８の前面上部で吸引された空気が、キャビネット本体８内の後方側のカバー１４前面部分を流れて底板８ｄ部分から前方に排出され、シンク７の底部外面やカバー１４の前面及びキャビネット本体８の底板８ｄ内面に空気の通路（流路）が形成されることになる。また、ファン１７ｂで送られる空気の一部は、上部引き出し９内や下部引き出し１０内にも流れることになり、このキャビネット本体８内を流れる空気により、キャビネット本体内が換気されて、キャビネット本体８内のじめじめ感等を解消でき、例えば通気性を有する網籠２２内の調理器具が清潔感を維持しつつ収納できることになる。
【００３４】
また、この換気装置１７のモータ１７ｂの回転中に、操作盤２１のイオン発生スイッチ２１ｂをオン操作することにより、イオン発生器２０が作動して例えばマイナスイオンが発生し、このマイナスイオンもキャビネット本体８内を流れキッチンの床面上に排出される。このマイナスイオンがキャビネット本体８内を流れることにより、キャビネット本体８内に除菌効果が得られ、またキッチン内に排出され室内に拡散されることにより、室内にウイルス等の殺菌効果が得られることになる。
【００３５】
つまり、このシンクキャビネット２の場合、キャビネット本体８の前面上部の空間内に配置された換気装置１７のファン１７ｂにより、キッチン内の空気を上部の吸引口１８ａから吸引してキャビネット本体８内を流通させた後に、キャビネット本体８の下部の排出口２３からキッチンの床面上に排出することで、キャビネット本体８内を換気して湿気を除去できることになる。また、換気装置１７内にイオン発生器２０を内蔵させることで、キャビネット本体８内の除菌や室内の空気の殺菌等も可能となる。
【００３６】
なお、以上の例では、換気装置１７の運転とイオン発生器２０の運転をそれぞれ独立させて行ったが、例えば換気スイッチ２１ａのオン操作で換気装置１７とイオン発生器２０を同時に作動させても良いし、換気装置１７の作動開始から所定時間後にイオン発生器２０を自動的に作動させて停止は同時に行う等、換気装置１７とイオン発生器２０を連動させる構成とすることもできる。
【００３７】
このように、上記実施形態のシンクキャビネット２にあっては、キャビネット本体８内の前面上部に換気装置１７が配置され、前面上部に吸引口１８ａを有する吸引口カバー１８が設けられると共に、下部引き出し１０の蹴込み板１０ｃ下端に換気口２３が設けられているため、換気装置１７のファン１７ｂの回転によりキャビネット本体８内に空気が吸引されて内部を流通し、内部の湿った空気を外部に排出することができる。
【００３８】
特に、キャビネット本体８の前面上部の前板８ｂとシンク７の前面との間に形成される空間に換気装置１７が配置され、キャビネット本体８の前面下部に設けられた排出口２３から排出されることから、キッチンの所定高さ位置から湿度の低い室内空気をキャビネット本体８の上部に吸引して下方に向けて流通させ、キャビネット本体８の下部の排出口２３からキッチンの床面上に排出できて、キャビネット本体８内を良好に換気することができる。
【００３９】
またこの時、キャビネット本体８の内部後方側に配置されたカバー１４の前面形状が、換気装置１７による空気の流れを促進できる曲面形状を有するため、外部から吸引された空気をカバー１４の前面に沿って例えばキャビネット本体８の下方に効果的に流すことができ、キャビネット本体８内の換気を効率良く行うことができる。その結果、排水装置１１が配置されたり給排水管１２が配置されるキャビネット本体８内部のじめじめ感を解消することができる。
【００４０】
また、キャビネット本体８内のシンク７の排水装置１１に接続された給排水管１２の前面側がカバー１４で覆われるため、上下の引き出し９、１０を引き出した際に、キャビネット本体８内に給排水管１２等が露出して使用者に視認されることがなく、キャビネット本体８内に清潔感のあるイメージを得ることができる。この清潔感と前述した湿気の解消により、従来じめじめ感がありその多くがデッドスペースとなっていたキャビネット本体８内のシンク７下方の空間を、調理器具等の収納空間として有効活用することができ、特に、キャビネット本体８内に上下２段の引き出し９、１０を設けることで空間の収納効率を高めることができて、使い勝手に優れたシンクキャビネット２を提供することが可能となる。
【００４１】
さらに、吸引口カバー１８の吸引口１８ａが前方から開口として視認されない形状に設定されると共に、排出口２３が下部引き出し１０の蹴込み板１０ｃの下端に設けられるため、吸引口１８ａや排出口２３がキッチンの使用者に容易に視認されることがなくなり、システムキッチン１としての意匠的価値の低下を防止することができ、例えば対面型のシステムキッチン１等に好適に使用することが可能となる。
【００４２】
また、換気装置１７の送風口１９内にイオン発生器２０等の除菌装置が配置されているため、キャビネット本体８内に例えばマイナスイオンやプラスイオンを発生させることで、キャビネット本体８内の雑菌を除菌したり、キッチンの床面上に排出することで室内の風邪ウイルス等を殺菌できて、システムキッチン１の清潔面と衛生面での一層の向上等を図ることができる。
【００４３】
またさらに、キャビネット本体８内に配設された上下の引き出し９、１０のうち少なくとも上部引き出し９が、その箱部９ａの底板上に網籠２２が出し入れ可能に載置されるため、例えば洗浄後の調理器具を網籠２２に入れてその水滴をシンク７やカウンター６上で除去した後に、網籠２２を上部引き出し１０に収納できると共に、キャビネット本体８内に収納された網籠２２内の調理器具に付着した湿気等を効果的に除去することができる。
【００４４】
また、網籠２２にふきん掛けやタオル掛け兼用の把手部２２ｅが設けられているため、収納状態のふきん等の湿気を除去することができると共に、把手部２２ｅにより網籠２２自体のキャビネット本体８内の上部引き出し９からの出し入れを簡単に行うことができる等、使い勝手に優れた上部引き出し９（すなわちシンクキャビネット２）を得ることが可能となる。
【００４５】
図８及び図９は、本発明に係わるシンクキャビネットのそれぞれ他の実施形態を示している。以下、上記実施形態と同一部位には、同一符号を付して説明する。図８に示す実施形態のシンクキャビネット２の特徴は、キャビネット本体８内に引き出し可能に配設される上部引き出し９の箱部９ａの背板や側板等を通気性を有するスチール製のパンチング板２６等で形成し、上部引き出し９自体に十分な通気性を確保した点にある。
【００４６】
このように構成することにより、換気装置１７から送風される外気の一部が、図の矢印トの如く上部引き出し９内を流れて上部引き出し９内やその底板上に収納された調具器具の湿気が除去されると共に、カバー１４の内面に沿う流れによって、キャビネット本体２内の湿気が除去され、上記実施形態と同様の作用効果を得ることができる。
【００４７】
また、図９に示すシンクキャビネット２の特徴は、上部引き出し９の下部に中間底板８ｇを配置し、キャビネット本体８を下部引き出し１０側と区画すると共に、上部引き出し９の扉９ｂの下部に排出口２３を設けた点にある。この排出口２３は、例えば扉９ｂの下部に所定形状の開口を設けることで形成され、また、上部引き出し９は、箱部９ａの底板も通気性を有するように構成されている。
【００４８】
この実施形態によれば、換気装置１７から送風される空気が、上カバー１４ａと中カバー１４ｂの前面及び中間底板８ｇの上面に沿って流れて排出口２３から排出されると共に、空気の一部が図の矢印チの如く上部引き出し９内を流れることになり、上記実施形態と同様の作用効果を得ることができる。この実施形態の場合は、上部引き出し９に設けられる排出口２３を吸引口１８ａと同様に形成することもでき、このように、各実施形態における排出口２３の位置は、キャビネット本体８の形態等に応じて、適宜位置に隙間や開口として設けることができる。
【００４９】
なお、上記各実施形態においては、換気装置１７をキャビネット本体８の前面上部に配置したが、本発明はこれに限定されず、例えばキャビネット本体８の前面上端のカウンター６直下、シンク７後面とキャビネット本体８の背面板８ａとの間等に配置しても良いし、キャビネット本体８の上部に限らず、キャビネット本体８の排出口２３の近傍に配置する等、キャビネット本体８内に外気の通路を形成し得る適宜位置に配置することができる。また、上記実施形態においては、吸引口１８ａをキャビネット体８の前面上部に設け、排出口２３を下部引き出し１０の蹴込み板１０ｃの下端に設けたが、吸引口１８ａと排出口２３の位置関係を逆にすることも可能であるし、上記各実施形態におけるイオン発生器２０の配置位置も、ケース１７ａの送風口１９内に限らず、送風口１９の外側や、外気通路内の適宜位置に配置することができる。
【００５０】
さらに、上記各実施形態においては、給排水管１２の前面を覆うカバー１４を上下方向の三分割構造としたが、例えば上下方向に二分割構造としても良いし、左右方向の分割構造や部分的に分割した構成とする等、給排水管１２の保守点検が可能な適宜のカバー構造を採用することができる。またさらに、上記各実施形態におけるキャビネット本体８の形態、上部引き出し９や下部引き出し１０の形状、換気装置１７の構成等も一例であって、例えばキャビネット本体８の前板８ｂを省略した構成とする等、本発明に係わる各発明の要旨を逸脱しない範囲において適宜の構成を採用することができる。また、本発明は、上面開口部にボウルを備えた洗面化粧台用のキャビネットにも適用することが可能である。
【産業上の利用可能性】
【００５１】
本発明は、システムキッチンのシンクキャビネットに限らず、例えば単体のシンクキャビネット等やボウルを有する洗面化粧台等の各種キャビネットにも適用できる。
【図面の簡単な説明】
【００５２】
【図１】本発明に係わるシンクキャビネットを使用したシステムキッチンの一実施形態を示す正面図
【図２】同シンクキャビネットの正面図
【図３】同その縦断面図
【図４】同図３のＡ部の拡大図
【図５】同その吸引口を示す（ａ）が正面図（ｂ）が断面図
【図６】同図３のＢ部の拡大図
【図７】同網籠を示す（ａ）が側面図（ｂ）が平面図
【図８】本発明に係わるシンクキャビネットの他の実施形態を示す図３と同様の断面図
【図９】本発明に係わるシンクキャビネットのさらに他の実施形態を示す図３と同様の断面図
【符号の説明】
【００５３】
１・・・システムキッチン、２・・・シンクキャビネット、３・・・乾燥機キャビネット、４・・・調理台キャビネット、５・・・コンロキャビネット、７・・・シンク、８・・・キャビネット本体、８ｂ・・・前板、８ｃ・・・鏡板、８ｄ・・底板、８ｅ、８ｇ・・・中間底板、８ｆ・・・上面開口部、９・・・上部引き出し、１０・・・下部引き出し、１１・・・排水装置（排水口）、１２・・・給排水管、１４・・・カバー、１４ａ・・・上カバー、１４ｂａ・・・中カバー、１４ｃ・・・下カバー、１７・・・換気装置、１７ａ・・・ケース、１７ｂ・・・クロスフローファン、１７ｃ・・・モータ、１７ｄ・・・整流板、１８・・・吸引口カバー、１８ａ・・・吸引口、１９・・・送風口、２０・・・イオン発生器、２１・・・操作盤、２２・・・網籠、２２ｅ・・・把手部、２３・・・排出口、２６・・・パンチング板。
【図１】
2005328857.tif 000003
【図２】
2005328857.tif 000004
【図３】
2005328857.tif 000005
【図４】
2005328857.tif 000006
【図５】
2005328857.tif 000007
【図６】
2005328857.tif 000008
【図７】
2005328857.tif 000009
【図８】
2005328857.tif 000010
【図９】
2005328857.tif 000011